(57)【要約】　　　（修正有）【課題】台板に脚を取り付けたり台板から脚を取り外したりする際に、台板を横倒しにしたり上下反転させたりする必要をなくして、台板への脚の取り付けを容易にしようとするものである。【解決手段】脚止め部材２は、連結材２１と脚固定材２２を何れも横断面がコの字状の金属製曲げ板で構成し、連結材２１に長尺の曲げ板を用い、脚固定部材２２に短尺の曲げ板を用い、脚固定部材２２のコの字の中央片を連結材２１の端面に固定して一体としたものを台板１の下面に付設する。すると、脚３１を台板１の側方から挿し込むことができることとなり、脚の着脱が容易となる。【選択図】　　　図１
2004097318.tif 000002
【特許請求の範囲】
【請求項１】
直角四辺形の台板と、台板に固定される脚止め部材と、脚止め部材に固定される脚部材と、脚部材間にさしわたされる横部材とからなる作業台であって、上記脚止め部材は横断面がコの字状の金属製の曲げ板で構成され、長尺の曲げ板からなる連結材の両端に短尺の曲げ板からなる脚固定材を配置して１つの平面上に並べ、連結材の開口を上方又は横方向に向けるとともに、脚固定材の開口を連結材の軸の延びる方向に向け、脚固定材の一面を連結材の一面と面一にして両材間にコの字状に連なる当接部を形成し、当接部を溶接して一体としたものから成り、上記脚部材は上記脚固定材に内接する断面を持った等尺の筒を２本平行に並べ、その間を結合片で接続してなるＨ状のものからなることを特徴とする、組立て作業台。
【発明の詳細な説明】
【０００１】
【産業上の利用分野】
この発明は、組立て作業台に関するものである。
【０００２】
【従来の技術】
組立て作業台には色々な形式のものがある。その１つとして、不使用時には脚を台板に接続したままこれを折り畳んで台板に密接させておき、使用時には脚を台板から起立させる、という形式のものがある。また、他の形式として、不使用時には脚を台板と切り離しておき、使用時には脚を台板に取り付けて作業台にする、という形式のものがある。前者は、組み立てが容易であるという利点がある反面、組み立てた作業台が不安定であるという欠点を持ち、後者は、これと全く反対の利点と欠点とを持っている。脚を台板から切り離す形式のものでは、台板に脚止め部材を固定し、脚止め部材に脚を着脱可能とされる。この場合、脚止め部材は、普通横断面がコの字状の金属製曲げ板で構成される。この脚止め部材は、脚の付設位置に１個ずつ独立して付設されてもよいが、通常は連結材で連結されて、台板に固定されていることが多い。
【０００３】
組立て作業台が長期にわたり使用されないときは、脚を台板から切り離しておくこともできるが、使用されないのが短期間のときには、脚を折り曲げて台板に重ねておくことができる組立て作業台も知られている。それは、例えば実開平６−７７５５９号公報に記載されている。しかし、この形式のものでは、脚を台板から切り離したり、脚を台板に取り付けたりする際に、脚を台板に対し垂直に移動させなければならない、という不便があった。すなわち、脚の取り付け又は取り外し時には台板を横倒しにしたり、又は裏返しにしたりして脚を台板に垂直に移動させて着脱しなければならず、こうして着脱したあとは、また台板の向きを変えなければならない、という不便があった。
【０００４】
【発明が解決しようとする課題】
この発明は、台板に脚を取り付けるのに伴う上述の欠点を、改良しようとしてなされたものである。すなわち、台板に脚を取り付けたり、台板から脚を取り外したりする際に、台板を横倒しにしたり、反転させたりする必要をなくして、台板への脚の取り付けを容易にしようとするものである。具体的には台板を持ち上げた状態にして、台板の側方から台板の下へ脚を水平に移動させることにより、脚の上部を台板に着脱できるようにしようとするものである。
【０００５】
【課題解決のための手段】
この発明者は、脚止め部材を台板に付設するには、脚止め部材を１個ずつ台板に付設しないで、従来から一部で行われてきたように、２個の脚止め部材を連結材で連結しておいて、これを台板に付設するのが有利であると考えた。その際に、この発明者は、脚止め部材と連結材との結合状態を改良することによって、上記課題が解決できることを見出した。すなわち、従来技術のように、脚止め部材と連結材とを何れも横断面がコの字状の金属製曲げ板で構成することとし、連結材に長尺の曲げ板を用い、脚止め部材に短尺の曲げ板を用いることとするが、その際、脚止め部材におけるコの字の中央片を連結材の端面に当接して固定するようにすると、脚止め部材を連結材に容易に強固に固定することができるようになるとともに、脚止め部材への脚の付設が容易となることを見出した。また、連結材は開口部を台板に対し下方又は水平方向に向けておくと、台板への取り付けが容易となることに気付いた。この発明は、このような知見に基づいて完成されたものである。
【０００６】
この発明は、直角四辺形の台板と、台板に固定される脚止め部材と、脚止め部材に固定される脚部材と、脚部材間にさしわたされる横部材とからなる作業台であって、上記脚止め部材は横断面がコの字状の金属製の曲げ板で構成され、長尺の曲げ板からなる連結材の両端に、短尺の曲げ板からなる脚固定材を配置して１つの平面上に並べ、連結材の開口を上方又は横方向に向けるとともに、脚固定材の開口を連結材の軸の延びる方向に向け、脚固定材の一面を連結材の一面と面一にして両材間にコの字状に連なる当接部を形成し、当接部を溶接して一体としたものから成り、上記脚部材は上記脚固定材に内接する断面を持った等尺の筒を２本平行に並べ、その間を結合片で接続してなるＨ状のものからなることを特徴とする、組立て作業台を提供するものである。
【０００７】
この発明をその実施の一例について、図面に基づき説明すると、次のとおりである。図１は、この発明に係る作業台の一部切欠分解斜視図である。図２は、この発明で用いられる脚止め部材の一部切欠斜視図である。図３は、この発明で用いることのできる他の脚止め部材の一部切欠斜視図である。
【０００８】
この発明に係る組立て作業台は図１に示したような部材で構成される。図１において１は台板であり、２は脚止め部材であり、３は脚部材であり、４は横部材である。この作業台は、台板１と、脚止め部材２と、脚部材３と、横部材４を組み立てることによって構成される。
【０００９】
この発明の１つの特徴は、脚止め部材２の構造にある。脚止め部材２は、横断面がコの字状の金属製曲げ板を溶接することによって作られる。脚止め部材２は、１本の長尺の連結材２１と、２個の短尺の脚固定材２２とで構成される。連結材２１と脚固定材２２とは、横断面が同じ形状の曲げ板であっても、異なった形状の曲げ板であってもよい。連結材２１は図１に示したように、開口部の一側に開口側へ折曲された補強片２１ａを備えていてもよい。脚固定材２２は、開口部にこのような補強片を備えたものであってはならず、横断面が正確にコの字状を呈するものでなければならない。
【００１０】
脚止め部材２は、台板１の下面にその一辺に沿って固定されて、その両端にある脚固定材２２を台板１に固定するためのものであるから、連結材２１の軸方向の長さは台板の一辺の約７０〜９０％の長さとされる。また、脚固定材２２の軸方向の長さは、これに脚部材を挿入したとき、脚部材が安定に保持されるだけの長さであることが必要とされるから、脚部材の形状、大きさ、材質などによって必要な長さが異なるが、その長さは９０〜１５０ｍｍである。
【００１１】
連結材２１としては、曲げ板の中央片２１１の幅が約４５〜５５ｍｍのものを用いることが好ましい。他方、脚固定材２２としては、曲げ板の中央片２２１の幅が２０〜５０ｍｍのものを用いることが好ましい。また連結材２１の軸方向の両端面は、当然のことながら、軸方向に正確に垂直になっていることが必要である。また、脚固定材２２の一端面も同様なものであることが必要とされる。
【００１２】
連結材２１と脚固定材２２とは、以下に説明するような関係に配置される。図２に示すように、脚固定材２２の幅Ｌが連結材２１の幅Ｍより小さいときは、開口２１０を横に向けて連結材２１を１つの平面Ｘ上に置き、その軸方向の両端にそれぞれ１個の脚固定材２２を配置する。このとき、脚固定材２２は、その開口２２０を連結材２１の軸の延びる方向、すなわち外側へ向けるとともに、その軸に垂直となっている端面を平面Ｘに接して配置する。すると、脚固定材２２においてコの字状に並ぶ３片のうちの中央片２２１は連結材２１の端面に向かうこととなる。
【００１３】
その上で、図２に示すように、脚固定材２２の側片２２２の外面を連結材２１の中央片２１１の外面と面一にする。すると、連結材２１と脚固定材２２との間では、上記面一にした面の間で直線状に並ぶ当接部ができ、さらにそれから折れ曲がって両側へ延びる部分にも直線状の当接部ができ、ここにコの字に連なる当接部ができる。この当接部を溶接して一体とすることによって脚止め部材２が形成される。
【００１４】
逆に、図３に示したように、脚固定材２２の幅Ｌが連結材２１の幅Ｍに等しいか、又は幅Ｌが幅Ｍより大きいときは、開口２１０を上に向けて連結材２１を１つの平面Ｘ上に置き、あとはさきに述べたと同様に、連結材２１の両端に脚固定材２２を配置する。すると、連結材２１と脚固定材２２との間には、コの字状に連なる当接部が形成される。この当接部を溶接して脚止め部材２とする。
【００１５】
上述のようにして形成された当接部は、何れも曲げ板の外部から溶接することができるので、溶接は容易であり、従ってこの脚止め部材は容易に作ることができる。しかも、この脚止め部材では、連結材２１と脚固定材２２とがコの字状に連なる部分で溶接されているので、強固に一体とされており、従って脚止め部材２は強靭である。
【００１６】
こうして作られた脚止め部材２は、上下を逆にすると、長尺の連結材２１の両端に短尺の脚固定材２２が起立して、門のような形状を呈している。そこで、図１に示したように、脚固定材２２が下へ突出するように向けて、脚止め部材２を台板１の下に配置すると、台板１への当接部は面一となり、しかも連結材２１は開口２１０を横又は下方に向けているから、連結材２１に穿設したボルト孔２１３へ開口２１０からボルトを通して、脚止め部材２を台板に容易に固定することができる。
【００１７】
脚止め部材２中の脚固定材２２には、開口を挟む両側片にこれを貫通する孔２２３を設ける。この孔２２３は、脚固定材２２上では連結材２１の延長線上から離れた先の方に設ける。また、孔２２３の周りにはねじが付設されている。この孔２２３は、脚固定材２２の中へ脚を挿入したあとで、ここに座金を当ててボルト２２４を挿入し、脚を回動自在に軸着するためのものである。
【００１８】
また、１つの側片２２２上には別の孔２２５を設ける。この孔２２５は、側片２２２上では連結材２１の延長線上にある部分に設ける。孔２２５は、ボルト２２７を挿入するためのものであって、ボルト２２７は脚固定材２２から脚に穿設された孔へ延びて、脚固定材２２に軸着された脚がボルト２２４を軸として回動するのを防ぐためのものである。
【００１９】
この発明のもう１つの特徴は、脚部材３の構造にある。脚部材３は、図１に一部切欠して示したように、脚固定材２２に内接する矩形の断面を持った等尺の角筒からなる脚３１を２本平行に並べ、その間を結合片３２で接続してなるＨ状のものである。接続は溶接によるのが適している。結合片３２は横断面が矩形で脚３１より幅の小さい角筒で構成することが好ましい。結合片３２は断面が矩形の長辺を脚３１の延びる方向に向けて脚３１に溶接によって固定される。
【００２０】
脚３１は、前述のように脚止め部材２に軸着されるために、脚固定材２２に設けた孔２２３に対応して、ボルト２２４を通すための孔３３を備えている。また図１では脚３１の裏面に、脚固定材２２に設けた孔２２５に対応して、回転止めのためのボルト２２７を通すための孔３６を備えている。
【００２１】
脚部材３には、脚３１の上端に補強材３５が付設されている。補強材３５は、結合片３２と平行に延びて、脚３１の間にさしわたされて脚部材３を補強している。また、補強材３５は、脚部材３が脚止め部材２に付設されたとき、台板１の下面に接して台板の撓むのを防止し、台板１を補強する役目をも果たす。補強片３５は、横断面がコの字状の曲げ板で構成し、開口を内側に向けて脚止め部材２に付設される。
【００２２】
図１では、脚固定材２２における他側片２２６のかど部分が矩形状に切欠されているが、この切欠は脚部材３の補強材３５を収容するためである。従って、補強材３５を脚３１の端からやや下方に付設するときは、上述のような切欠を設ける必要がない。
【００２３】
この発明では、台板１の下面において、対向する２辺に沿って２組の脚止め部材２を付設しておく。すると、脚止め部材２の脚固定材２２は開口を外側へ向けているから、台板１を浮かした状態でその側方から脚部材３を台板１に近づけ、脚３１の上端を側方から脚固定材２２に挿入して脚部材３を脚止め部材２に嵌めることができる。このとき脚部材３の２本の脚３１は異なる脚止め部材２の脚固定材２２に挿入することが好ましい。こうして脚３１を脚固定材２２内に挿入したあとは、脚固定材２２の孔２２３と脚３１の孔３３とにボルト２２４を通すことにより、脚部材３を脚止め部材２に回動可能に付設することができる。さらに、脚３１を台板１から起立させ、脚固定材２２に設けた孔２２５から脚３１に設けた孔３６へボルト２２７を通すことにより、脚は台板から起立した状態に保持することができる。このように、この作業台の組み立てが容易である。
【００２４】
こうして脚止め部材２にボルト２２４により軸着されるとともに、ボルト２２７により固定された脚３１は、ボルト２２４とボルト２２７との間に距離があるから、脚固定材２２にガタのない状態で固定できることとなり、従って台板１に確実に垂直に起立されることとなる。
【００２５】
この発明では、こうして起立された脚部材３の結合片３２間に図１に示したように横部材４をさしわたし、横部材の両端をボルト４１によって結合片３２に固定して、組立て作業台とする。
【００２６】
【発明の効果】
この発明によれば、脚止め部材を横断面がコの字状の金属製曲げ板で構成することとし、長尺の曲げ板からなる連結材の両端に短尺の曲げ板からなる脚固定材を配置して１つの平面上に並べ、連結材の開口を上方又は横方向に向けるとともに、脚固定材の開口を連結材の軸の延びる方向に向け、脚固定材の一面を連結材の一面と面一にして両材間にコの字状に連なる当接部を形成することとしたので、この当接部は外側から溶接することが容易であり、従って容易に脚止め部材を作ることができる。また、こうして作られた脚止め部材は、コの字状に連なる当接部を溶接させて一体とされているので、強固なものである。さらにこの脚止め部材は脚固定材の開口が外側へ向いているため、脚止め部材を台板に固定するときは、脚部材の脚を台板の側方から挿入することができるので、脚部材の取付けが容易であり、従ってまた、脚部材の取り外しも容易である。
【００２７】
またこの発明では、脚部材を脚固定材に内接する断面を持った筒で構成したから、脚が強靭であり、さらに等尺の筒を２本平行に並べて、その間を結合片で接続してＨ状のものとしたから、上記の脚部材３を脚止め部材２に付設することにより２本の脚３１を一挙に付設することができる。従ってこの発明に係る作業台は、組み立てが容易であり、従ってまた分解も容易であり、しかも強靭でガタのないものとなる。この発明は、このような利益をもたらすものである。
【図面の簡単な説明】
【図１】この発明に係る組立て作業台の一部切欠分解斜視図である。
【図２】この発明で用いることのできる脚止め部材の一部切欠斜視図である。
【図３】この発明で用いることのできる他の脚止め部材の一部切欠斜視図である。
【符号の説明】
１　　　　　　　　　　　　　　　　　　台板
２　　　　　　　　　　　　　　　　　　脚止め部材
３　　　　　　　　　　　　　　　　　　脚部材
４　　　　　　　　　　　　　　　　　　横部材
２１　　　　　　　　　　　　　　　　　連結材
２１ａ　　　　　　　　　　　　　　　　補強片
２２　　　　　　　　　　　　　　　　　脚固定材
３１　　　　　　　　　　　　　　　　　脚
３２　　　　　　　　　　　　　　　　　結合片
３３、３６、２１３、２２３、２２５　　孔
３５　　　　　　　　　　　　　　　　　補強材
４１、２２４、２２７　　　　　　　　　ボルト
２１０、２２０　　　　　　　　　　　　開口
２１１、２２１　　　　　　　　　　　　中央片
２１２、２２２、２２６　　　　　　　　側片
【図１】
2004097318.tif 000003
【図２】
2004097318.tif 000004
【図３】
2004097318.tif 000005